(57)【特許請求の範囲】
【請求項１】
所定間隔を隔てて相対して配置され互いに平行に延伸する一対の延伸部を備える枠体と、
一対の前記延伸部の互いに相対する外側端面にそれぞれ設けられ、前記延伸部の延伸方向と同じ方向に延伸する一対の係止板と、
前記延伸部及び前記係止板を圧着するように巻回する一対の保持糸とを備えることを特徴とする手芸用織り機。
【請求項２】
前記係止板には、前記延伸方向に等間隔に溝が形成されており、
前記保持糸は、前記溝に嵌まるように巻回されていることを特徴とする請求項１記載の手芸用織り機。
【請求項３】
前記係止板は、前記延伸部に対して前記延伸方向又は前記延伸方向と直交する方向の少なくとも何れかの方向に移動可能に設けられることを特徴とする請求項１又は請求項２記載の手芸用織り機。
【発明の詳細な説明】
【技術分野】
【０００１】
本発明は、手芸用織り機に関する。
【背景技術】
【０００２】
子供から高齢者まで幅広い年齢層において実施できる創作活動として織物の制作がある。織物の制作は、基本的には煩雑な工程がなく、専門的な技術も必要ないため、誰でも容易に創作活動を行うことができる。
【０００３】
また、織物の制作をより容易にするため誰でも使用できる手芸用織り機として特許文献１に記載した織り機がある。この織り機は断面視凹形状をなす本体を備え、本体の起立する両端部にそれぞれ所定間隔に設けられた溝と該溝に嵌まるピンが設けられており、相対する該ピンに交互に糸をかけていくことで経糸を構成する。
【先行技術文献】
【特許文献】
【０００４】
【特許文献１】特開２００９―１２１００７号公報
【発明の概要】
【発明が解決しようとする課題】
【０００５】
ここで、古くなった布地を裁断し、これらを経糸及び緯糸として使用して再度織りなおすことで、古くなった布地を新しい布として再生するリサイクル方法がある。
【０００６】
しかしながら前述した特許文献１に記載の手芸用織り機では、例えば古くなった布地を短冊状に裁断したものを経糸として使用する場合、経糸を通常の糸のように張ることができず、ピンにかけた経糸がたるんでしまい、緯糸を通すことができなくなるという問題が生じる。
【０００７】
本発明は布地を再利用する場合であっても容易に新しい布地を織ることができ、かつ誰でも簡便に使用することができる手芸用織り機を提供することをその主たる目的とするものである。
【課題を解決するための手段】
【０００８】
本発明の手芸用織り機は、所定間隔を隔てて相対して配置され互いに平行に延伸する一対の延伸部を備える枠体と、一対の前記延伸部の互いに相対する外側端面にそれぞれ設けられ、前記延伸部の延伸方向と同じ方向に延伸する一対の係止板と、前記延伸部及び前記係止板を巻回する一対の保持糸とを備えることを特徴とする。
【０００９】
上述の構成により、例えば短冊状に裁断され横幅を備える経糸であっても保持糸に通して固定することで、経糸が保持糸と延伸部との間に圧接されるため経糸をたるむことなく配置することができる。また、緯糸に同様の短冊状の布地を用いれば、古くなった布地を新しい生地に再生することが可能となる。また、経糸及び緯糸に短冊状に裁断された横幅を備えるものを使用すれば、糸を使用するよりも視認しやすく扱いやすいので、子供や高齢者であっても容易に織ることができる。さらに、織り上がった織物を本発明の手芸用織り機から外すときは、保持糸を経糸から抜き取るだけでよい。そのため従来のように経糸を裁断して玉止めしたり、ミシンで端処理をしたりする必要がなくなり、誰でも簡便に織物を織ることができる。
【００１０】
本発明の手芸用織り機の具体的な一態様としては、前記係止板には、前記延伸方向に等間隔に溝が形成されており、前記保持糸は、前記溝に嵌まるように巻回されているものを挙げることができる。
【００１１】
上述の構成により、溝に嵌まるように保持糸を巻き付けることによって保持糸が等間隔で巻回されるので、該保持糸に通される経糸の間隔を一定に保つことができる。また、全ての溝に保持糸を嵌めるのではなく、溝に嵌まった隣り合う保持糸の間に、保持糸が配置されていない少なくとも１以上の溝が配置するように構成すれば、隣り合う保持糸の間隔を変えることができるので、経糸の間隔を自在に変えて所望する織物の形状や使用者の熟練度に合わせて織物を製造することができる。
【００１２】
本発明の手芸用織り機の具体的な一態様としては、前記係止板は、前記延伸部に対して前記延伸方向又は前記延伸方向と直交する方向の少なくとも何れかの方向に移動可能に設けられるものを挙げることができる。
【００１３】
係止板が延伸部に対して延伸方向に移動すれば、保持糸も延伸方向に延伸して配置されるようになるため、より保持糸に経糸を通しやすくなり、また係止板が延伸部に対して延伸方向と直交する方向に移動すれば、延伸部と係止板との境界に配置する保持糸が浮くので、該隙間からより容易に経糸を通すことができる。そのため、係止板を延伸部に対して延伸方向又は延伸方向と直交する方向の少なくとも何れかの方向に移動すれば、経糸を容易に通すことが可能となる。
【発明の効果】
【００１４】
本発明によれば、容易に新しい布地を織ることができ、かつ誰でも簡便に使用することができる手芸用織り機を提供することができる。
【図面の簡単な説明】
【００１５】
【図１】第１実施形態における手芸用織り機の斜視図。
【図２】第１実施形態における手芸用織り機の図１のα部分拡大図。
【図３】第２実施形態における手芸用織り機の斜視図。
【図４】第２実施形態における手芸用織り機の図３のβ部分拡大図。
【図５】第２実施形態における手芸用織り機の図４のγ部分拡大図。
【図６】第２実施形態における手芸用織り機の変形例を示す斜視図。
【発明を実施するための形態】
【００１６】
本発明の手芸用織り機について、図面を用いながら詳細に説明する。
【００１７】
＜第１実施形態＞
第１実施形態の手芸用織り機１は、図１に示すように、所定間隔を隔てて相対して配置され互いに平行に延伸する一対の延伸部２を備える枠体３と、一対の延伸部２の互いに相対する外側端面にそれぞれ設けられ延伸部２の延伸方向と同じ方向に延伸する一対の係止板４と、延伸部２及び係止板４を巻回する一対の保持糸５とを備える。
【００１８】
枠体３は、略四角柱形状をなす一対の延伸部２Ａ、２Ｂと一対の延伸部２Ｃ、２Ｄを備え、延伸部２Ａ、２Ｂと延伸部２Ｃ、２Ｄとは互いに略直角となるように配置されている。さらに、延伸部２Ａ、２Ｂの両端部には、それぞれ延伸部２Ｃ、２Ｄの端部が配置されて、これら近接する端部が接続されることで、枠体３は平面視略矩形状をなす。枠体３に使用される材料としては、木材の他、金属、プラスチック素材等、使用態様に応じて適宜最適な材料を選択することができる。ここで以下では説明のため、延伸部２Ａ、２Ｂの延伸方向を第１方向、延伸部２Ｃ、２Ｄの延伸方向を第２方向とする。
【００１９】
係止板４（４ａ、４ｂ）は、第１方向に延伸する短冊形状をなす板体であり、延伸部２Ａ、２Ｂの互いに相対する外側端面に後述する保持糸５（５ａ、５ｂ）により一面が圧着された状態で配置される。より具体的には、係止板４ａは保持糸５ａによって延伸部２Ａと一面で圧着され、係止板４ｂは保持糸５ｂによって延伸部２Ｂと一面で圧着されている。このとき、第１方向及び第２方向と直交する方向（以下、第３方向とする）における係止板４ａの幅は第３方向における延伸部２Ａの幅よりも大きく、同様に第３方向における係止板４ｂの幅は延伸部２Ｂの幅よりも大きくなるように構成される。そのため、係止板４ａ、４ｂは、第３方向において、延伸部２Ａ、２Ｂからその両端部がそれぞれ突出して配置されている。なお、係止板４（４ａ、４ｂ）の材料は木材、金属、プラスチック素材等、使用態様に応じて適宜最適なものを使用することができる。
【００２０】
また、係止板４ａ、４ｂには、図２に示すように複数の溝６がそれぞれ形成されており、この溝６は第３方向に沿って一端部から他端部に至るまで縦長に形成されるとともに、第１方向に向かって等間隔に複数設けられている。
【００２１】
保持糸５（５ａ、５ｂ）は、係止板４及び延伸部２を巻回するものであって、保持糸５ａは係止板４ａ及び延伸部２Ａ、保持糸５ｂは係止板４ｂ及び延伸部２Ｂを圧着するように、係止板４ａ及び延伸部２Ａ、係止板４ｂ及び延伸部２Ｂの外周をそれぞれ囲んで螺旋状に巻回される。このとき、保持糸５ａは前述した係止板４ａに設けられた複数の溝６、保持糸５ｂは前述した係止板４ｂに設けられた複数の溝６に嵌まるように巻回されることで、保持糸５ａ、５ｂは、係止板４ａ、４ｂ上にそれぞれ等間隔に配置される。保持糸５ａの両端部は係止板４ａ又は延伸部２Ａ、保持糸５ｂの両端部は係止板４ｂ又は延伸部２Ｂに、それぞれ図示しないテープ等の接着部材を用いて係止されている。
【００２２】
上述のように構成された第１実施形態の手芸用織り機１の使用方法について以下説明する。
【００２３】
使用者は、例えば古くなった布地を短冊状に裁断したリサイクル糸を経糸１００として用いて、一対の延伸部２Ａ、延伸部２Ｂとの間を架橋するように、保持糸５ａと保持糸５ｂとに交互に経糸１００を通していく。このとき、経糸１００は、保持糸５ａと延伸部２Ａとの間、及び保持糸５ｂと延伸部２Ｂとの間においてそれぞれ圧接されるため、経糸１００がたるむことなく引張された状態で保持される。
【００２４】
螺旋状に巻回された保持糸５ａ、５ｂに全て経糸１００が通ると、経糸１００が等間隔に配置されるとともに第２方向に延伸して配置される。使用者は経糸１００に対して第１方向に緯糸１０１（この緯糸１０１に同様にリサイクル糸を用いることも可能である）を通していくが、この際、第３方向に対して経糸１００の上側下側となるように緯糸１０１を通していくことにより経糸１００と緯糸１０１とが交互に配置されて織物が織り上がっていく。
【００２５】
全ての経糸１００に緯糸１０１が通って織物が織り上がると、使用者は係止されていた保持糸５ａ、５ｂの両端部を係止板４ａ、４ｂ又は延伸部２Ａ、２Ｂから外して保持糸５ａ、５ｂを経糸１００から抜き取ることにより、完成した織物を手芸用織り機１から外すことができる。
【００２６】
上述のように構成した第１実施形態の手芸用織り機１は、短冊状に裁断され横幅を備えるリサイクル糸を使用した経糸１００であっても保持糸５ａ、５ｂに通して固定することで、経糸１００が保持糸５ａ、５ｂと延伸部２Ａ、２Ｂとの間で圧接されるため経糸１００をたるむことなく配置することができる。また、緯糸１０１に同様の短冊状の布地を用いれば、古くなった布地を新しい生地に再生することが可能となる。また、経糸１００及び緯糸１０１に短冊状に裁断された横幅を備えるものを使用すれば、糸を使用するよりも視認しやすく扱いやすいので、子供や高齢者であっても容易に織ることができる。さらに、織り上がった織物を第１実施形態の手芸用織り機１から外すときは、保持糸５ａ、５ｂを経糸１００から抜き取るだけでよく、織り上がった後に織り機から外すための糸処理等の手間を省くことができる。
【００２７】
また、係止板４ａ、４ｂに溝６を備え、この溝６に嵌まるように保持糸５ａ、５ｂを巻き付けることによって、保持糸５ａ、５ｂを等間隔に配置することができ、保持糸５ａ、５ｂに通した経糸１００の間隔を一定に保つことができ、またいくつかの溝６を隔てて保持糸５ａ、５ｂを巻き付けていけば、保持糸５ａ、５ｂに通される隣り合う経糸１００の間隔を変えることができるので、所望する織物や使用者の熟練度に合わせて織物を製造することができる。
【００２８】
さらに、係止板４ａ、４ｂは、第３方向において、延伸部２Ａ、２Ｂからその両端部が突出してそれぞれ配置されているため、係止板４ａ及び延伸部２Ａを螺旋状に巻回する保持糸５ａにおいては、延伸部２Ａと係止板４ａとの境界部分、係止板４ｂ及び延伸部２Ｂを螺旋状に巻回する保持糸５ｂにおいては、延伸部２Ｂと係止板４ｂとの境界部分において、保持糸５ａ、５ｂがそれぞれ浮いた状態となるため、その隙間から容易に経糸１００を通すことができる。
【００２９】
＜第２実施形態＞
次に第２実施形態における手芸用織り機１０について説明する。
なお、第１実施形態と同様の構成を備える部分については同一の符号を付し、説明を省略する。
【００３０】
第２実施形態の手芸用織り機１０は、図４、５に示すように、係止板４ａ、４ｂをそれぞれ延伸部２Ａ、２Ｂに対して延伸方向又は延伸方向と直交する方向の少なくとも何れかの方向に可動させる可動部１１を備える。なお、図４においては可動部１１が目視できない状態であるため点線で示すとともに説明のために溝６や保持糸５等の記載は省略する。
【００３１】
可動部１１（１１ａ、１１ｂ）は、図３、図４及び図５に示すように、当接する係止板４ａ、４ｂと延伸部２Ａ、２Ｂとの間に設けられる。より具体的には、可動部１１ａは、係止板４ａと延伸部２Ａとが一面で圧接される境界に配置されるとともに、可動部１１ｂは、係止板４ｂと延伸部２Ｂとが一面で圧接される境界に配置される。なお、可動部１１ｂは可動部１１ａと同様の構成であるため、可動部１１ｂについての説明及び図示は行わず、可動部１１ａを用いて以下説明する。
【００３２】
可動部１１ａは、延伸部２Ａの係止板４ａと対向する面に設けられた第１スライド板１２（１２ａ）と、係止板４ａの延伸部２Ａに対向する面にそれぞれ設けられた第２スライド板１３（１３ａ）とを備える。
【００３３】
第１スライド板１２ａは、第３方向に延伸するとともに延伸部２Ａに接着される第１底面１４（１４ａ）と、第３方向に延伸する第１底面１４ａの両端部から起立して配置された第１側面１５（１５ａ）とを備える。
【００３４】
第２スライド板１３ａは、第３方向に延伸するとともに係止板４ａに接着される第２底面１６（１６ａ）と、第３方向に延伸する第２底面１６ａの両端部からそれぞれ起立して配置された第２側面１７（１７ａ）とを備える。ここで、第２底面１７ａの第１方向の幅は第１底面１４ａの第１方向の幅よりも狭くなるように構成されており、係止板４ａと延伸部２Ａとが対向した状態で、第１底面１４ａと第２底面１６ａとが対向してそれぞれ配置されるとともに第１側面１５ａの内側に第２側面１７ａがそれぞれ配置される。
【００３５】
上述の構成により、第１スライド板１２ａに対して第２スライド板１３ａが第３方向にスライドするため、第１スライド板１２ａが設けられた延伸部２Ａに対して第２スライド板１３ａが設けられた係止板４ａが第３方向（延伸部２の延伸方向と直交する方向）に可動する。そのため、図３に示すように、保持糸５ａが第３方向に引張されて延伸部２Ａと係止板４ａとの境界に配置する保持糸５ａが延伸部２Ａ及び係止板４ａから浮いて隙間が設けられるので、この隙間から経糸１００をより通しやすくすることができる。
【００３６】
ここで、上述の可動部１１において第１スライド板１２ａの第１底面１４ａ及び第２スライド板１３ａの第２底面１６ａを第１方向（延伸部２の延伸方向）に延伸するように構成してもよい。この場合、第１側面１５ａ及び第２側面１７ａを第１方向に延伸する第１底面１４ａ及び第２底面１６ａの両端部からそれぞれ起立するように構成する。
【００３７】
このように構成すれば、図６に示すように、第１スライド板１２ａに対して第２スライド板１３ａが第１方向にスライドするため、第１スライド板１２ａが設けられた延伸部２Ａに対して第２スライド板１３ａが設けられた係止板４ａが第１方向に可動する。これにより、係止板４ａが第３方向に移動することで係止板４ａの溝６で係止されている保持糸５ａも第１方向に移動することとなり、保持糸５ａが斜めに配置されて経糸１００を通す際の作業を容易にすることができる。
【００３８】
本発明は上述の実施形態に限られたものではない。
【００３９】
例えば、係止板と延伸部との第３方向における幅が同じとなるように構成してもよい。この場合であっても例えば第２実施形態の可動部を用いれば容易に経糸を保持糸に通すことができる。
【００４０】
また、保持糸を係止する方法としては、例えば保持糸を結んで配置してもよいし、係止板又は延伸部にスリットを設けてこのスリットに保持糸の両端部をかけることで、保持糸を係止してもよく、上述の実施形態に捉われることなく使用状況に応じて適宜最適な構成を用いることができる。
【００４１】
加えて、第２実施形態において可動部が係止板を延伸部に対して第１方向及び第３方向のいずれの方向にも移動可能に構成してもよい。また、可動部の構成も上述のものに限られない。
【００４２】
さらに、第１スライド板及び第２スライド板に移動距離を規制する規制部を設けたり、第１スライド板に対して第２スライド板が外れることを防止する外れ防止部を設けておいてもよい。規制部の構成としては、例えば第１底面及び第２底面に突起を設け、この突起同士が当接して第２スライド板の移動を規制するものが挙げられる。また。外れ防止部の構成としては、第１側面の開放端縁を内側に折り曲げておくもの等が挙げられる。なお、規制部や外れ防止部は、上述の構成に限ったものではない。
【００４３】
また、上述した実施形態では可動部を一対の延伸部の両方に設けていたが、少なくともいずれか一方の延伸部に可動部を設けてもよい。
【００４４】
本発明は、その趣旨に反しない範囲で様々な変形が可能である。
【符号の説明】
【００４５】
１・・・手芸用織り機
２・・・延伸部
３・・・枠体
４・・・係止板
５・・・保持糸
【要約】
【課題】容易に新しい布地を織ることができ、かつ誰でも簡便に使用することができる手芸用織り機を提供する。
【解決手段】所定間隔を隔てて相対して配置され互いに平行に延伸する一対の延伸部２を備える枠体３と、一対の延伸部２の互いに相対する外側端面にそれぞれ設けられ、延伸部２の延伸方向と同じ方向に延伸する一対の係止板４と、延伸部２及び係止板４を巻回する一対の保持糸５とを備えることを特徴とする手芸用織り機１。
【選択図】図１【図１】
0006700530.tif 000002
【図２】
0006700530.tif 000003
【図３】
0006700530.tif 000004
【図４】
0006700530.tif 000005
【図５】
0006700530.tif 000006
【図６】
0006700530.tif 000007